(57)【要約】【課題】互いに隣接した状態で設置面に設置された複数の平面発光素子のうち、任意の平面発光素子を選択的に着脱できるようにする。【解決手段】平面発光装置１００は、互いに隣接して設置される複数の平面発光素子２０と、平面発光素子２０を固定する固定具５０と、を備える。固定具５０は、設置対象部に対して差し込まれることにより固定される固定軸と、固定軸に対して交差する脱落抑止部５２を有する。固定軸を設置対象部に差し込み固定することにより、互いに隣り合う複数の平面発光素子２０の各々について、設置面から離間することを脱落抑止部５２によって一括して抑止することが可能である。固定軸を設置対象部に固定した状態のまま、固定軸の軸周りに固定具５０を回転させることによって、脱落抑止部５２により設置面からの離間が抑止される平面発光素子２０の数が変化する。【選択図】図５
2015015427.tif 000002
【特許請求の範囲】
【請求項１】
互いに隣接した状態で設置対象部の設置面に設置される複数の平面発光素子と、
前記平面発光素子を前記設置面に固定する固定具と、
を備え、
前記固定具は、
一端部が前記設置対象部に対して差し込まれることにより固定される固定軸と、
前記固定軸の軸方向に対して交差する配置で前記固定軸の他端側の部分に設けられた脱落抑止部と、
を有し、
前記固定具を前記固定軸の軸方向に見たとき、前記脱落抑止部の面積は、前記固定軸の面積よりも大きく、
前記固定軸の前記一端部を前記設置対象部に対して差し込み固定することにより、互いに隣り合う複数の前記平面発光素子の各々について、前記設置面から離間することを前記脱落抑止部によって一括して抑止することが可能であり、
前記固定軸の前記一端部を前記設置対象部に対して固定した状態のまま、前記固定軸の軸周りに前記固定具を回転させることによって、前記脱落抑止部により前記設置面からの離間が抑止される前記平面発光素子の数が変化する平面発光装置。
【請求項２】
前記平面発光素子は正多角形状又は長方形状に形成され、
前記互いに隣り合う複数の平面発光素子は、互いの一辺どうしが平行に近接するとともに互いの角部どうしが近接するように配置され、
前記脱落抑止部は、前記固定軸の前記一端部が前記互いに隣り合う複数の平面発光素子の各々の角部の間を通して前記設置対象部に差し込み固定されることにより、前記互いに隣り合う複数の平面発光素子の各々の角部が前記設置対象部から離間してしまうことを一括して抑止するものであり、
前記脱落抑止部には、切欠形状部が形成され、
前記固定軸の前記一端部を前記設置対象部に対して固定した状態のまま、前記固定軸の軸周りに前記固定具を回転させることによって、前記互いに隣り合う複数の平面発光素子の各々の角部のうち何れか１つ以上の角部を、当該平面発光装置を正面視したときに前記脱落抑止部と重ならず前記切欠形状部を通して直接正視できる状態にすることが可能である請求項１に記載の平面発光装置。
【請求項３】
当該平面発光装置を正面視したときに前記脱落抑止部と重ならず前記切欠形状部を通して直接正視できる状態となり得る前記角部の数は１である請求項２に記載の平面発光装置。
【請求項４】
前記平面発光素子は正多角形状又は長方形状に形成され、
前記互いに隣り合う複数の平面発光素子は、互いの一辺どうしが平行に近接するとともに互いの角部どうしが近接するように配置され、
前記脱落抑止部は、前記固定軸の前記一端部が前記互いに隣り合う複数の平面発光素子の各々の角部の間を通して前記設置対象部に差し込み固定されることにより、前記互いに隣り合う複数の平面発光素子の各々の角部が前記設置対象部から離間してしまうことを一括して抑止するものであり、
前記脱落抑止部には、切欠形状部が形成され、
前記平面発光素子を正面視したときの前記角部の角度をαとすると、前記固定具を正面視したときの前記固定軸の軸中心を基準とする前記切欠形状部の中心角度βは、α以上である請求項１に記載の平面発光装置。
【請求項５】
前記中心角度βは２α未満である請求項４に記載の平面発光装置。
【請求項６】
前記脱落抑止部は透光性である請求項１〜５の何れか一項に記載の平面発光装置。
【請求項７】
前記固定軸の前記一端部には、雄ネジが形成され、
前記雄ネジが前記設置対象部に対して螺入されることにより、前記固定軸が前記設置対象部に固定される請求項１〜６の何れか一項に記載の平面発光装置。
【請求項８】
請求項１〜７の何れか一項に記載の平面発光装置における前記固定具。
【発明の詳細な説明】
【技術分野】
【０００１】
本発明は、平面発光装置および固定具に関する。
【背景技術】
【０００２】
有機ＥＬ（Ｅｌｅｃｔｒｏ  Ｌｕｍｉｎｅｓｃｅｎｃｅ）発光素子などの平面発光素子を壁や天井などに複数並べて固定する、いわゆるタイリングと呼ばれる技術がある。
【０００３】
なお、特許文献１には、複数の有機ＥＬ発光素子の側面を嫌気性接着剤により固定する技術が記載されている。
【先行技術文献】
【特許文献】
【０００４】
【特許文献１】特開２００５−３３１５７２号公報
【発明の概要】
【発明が解決しようとする課題】
【０００５】
有機ＥＬ発光素子などの平面発光素子をタイリングした場合、個々の平面発光素子の寿命が到来するたびに、個別に平面発光素子を交換する必要がある。しかしながら、特許文献１の技術では、有機ＥＬ発光素子どうしが接着固定されているため、任意の有機ＥＬ発光素子を選択的に交換することが困難である。
【０００６】
本発明が解決しようとする課題としては、互いに隣接した状態で設置面に設置された複数の平面発光素子のうち、任意の平面発光素子を着脱できるようにすることが一例として挙げられる。
【課題を解決するための手段】
【０００７】
請求項１に記載の発明は、互いに隣接した状態で設置対象部の設置面に設置される複数の平面発光素子と、
前記平面発光素子を前記設置面に固定する固定具と、
を備え、
前記固定具は、
一端部が前記設置対象部に対して差し込まれることにより固定される固定軸と、
前記固定軸の軸方向に対して交差する配置で前記固定軸の他端側の部分に設けられた脱落抑止部と、
を有し、
前記固定具を前記固定軸の軸方向に見たとき、前記脱落抑止部の面積は、前記固定軸の面積よりも大きく、
前記固定軸の前記一端部を前記設置対象部に対して差し込み固定することにより、互いに隣り合う複数の前記平面発光素子の各々について、前記設置面から離間することを前記脱落抑止部によって一括して抑止することが可能であり、
前記固定軸の前記一端部を前記設置対象部に対して固定した状態のまま、前記固定軸の軸周りに前記固定具を回転させることによって、前記脱落抑止部により前記設置面からの離間が抑止される前記平面発光素子の数が変化する平面発光装置である。
【０００８】
請求項８に記載の発明は、
請求項１〜５の何れか一項に記載の平面発光装置における前記固定具である。
【図面の簡単な説明】
【０００９】
【図１】実施形態に係る平面発光装置の正面図である。
【図２】図２（ａ）〜（ｃ）は実施形態に係る平面発光装置の平面発光素子を示す図であり、このうち（ａ）は正面図、（ｂ）は斜視図、（ｃ）は側面図である。
【図３】図３（ａ）〜（ｃ）は実施形態に係る平面発光装置の固定具を示す図であり、このうち（ａ）は斜視図、（ｂ）は側面図、（ｃ）は正面図である。
【図４】実施形態に係る平面発光装置の平面発光素子を固定する動作を説明するための斜視図である。
【図５】実施形態に係る平面発光装置の平面発光素子が固定された状態を示す正面図である。
【図６】実施形態に係る平面発光装置の平面発光素子が固定された状態を示す側断面図である。
【図７】実施形態に係る平面発光装置の平面発光素子の角部およびその近傍を示す正面図である。
【図８】図５の拡大図である。
【図９】実施形態に係る平面発光装置の平面発光素子を取り外す動作を説明するための正面図である。
【図１０】比較形態に係る平面発光装置を固定する動作を説明するための斜視図である。
【図１１】実施例１に係る平面発光装置の平面発光素子の層構造の一例を示す断面図である。
【図１２】平面発光素子の有機機能層の層構造の第１例を示す断面図である。
【図１３】平面発光素子の有機機能層の層構造の第２例を示す断面図である。
【図１４】図１４（ａ）実施例２に係る平面発光装置の平面発光素子が固定された状態を示す正面図、図１４（ｂ）は実施例２に係る平面発光装置の平面発光素子の角部およびその近傍を示す正面図である。
【図１５】図１５（ａ）〜（ｃ）は実施例２に係る平面発光装置の固定具を示す図であり、このうち（ａ）は斜視図、（ｂ）は側面図、（ｃ）は正面図である。
【図１６】実施例３に係る平面発光装置の平面発光素子が固定された状態を示す正面図である。
【図１７】図１７（ａ）および（ｂ）は実施例４に係る平面発光装置の固定具を示す図であり、このうち（ａ）は斜視図、（ｂ）は正面図である。
【図１８】図１８（ａ）は実施例５に係る平面発光装置の平面発光素子の正面図、図１８（ｂ）は実施例５に係る平面発光装置の正面図である。
【図１９】図１９（ａ）および（ｂ）は実施例５に係る平面発光装置の固定具を示す図であり、このうち（ａ）は斜視図、（ｂ）は正面図である。
【発明を実施するための形態】
【００１０】
以下、実施の形態について、図面を用いて説明する。尚、すべての図面において、同様の構成要素には同一の符号を付し、適宜説明を省略する。
【００１１】
図１は実施形態に係る平面発光装置１００の正面図である。図２（ａ）〜（ｃ）は実施形態に係る平面発光装置１００の平面発光素子２０を示す図であり、このうち（ａ）は正面図、（ｂ）は斜視図、（ｃ）は側面図である。図３（ａ）〜（ｃ）は実施形態に係る平面発光装置１００の固定具５０を示す図であり、このうち（ａ）は斜視図、（ｂ）は側面図、（ｃ）は正面図である。図４は実施形態に係る平面発光装置１００の平面発光素子２０を固定する動作を説明するための斜視図である。図５は実施形態に係る平面発光装置１００の平面発光素子２０が固定された状態を示す正面図である。図６は実施形態に係る平面発光装置１００の平面発光素子２０が固定された状態を示す側断面図である。図７は実施形態に係る平面発光装置１００の平面発光素子２０の角部２１およびその近傍を示す正面図である。図８は図５の拡大図である。図９は実施形態に係る平面発光装置１００の平面発光素子２０を取り外す動作を説明するための正面図である。平面発光装置１００は、例えばディスプレイ、照明装置、又は光通信装置の光源として用いることができる。
【００１２】
本実施形態に係る平面発光装置１００は、互いに隣接した状態で設置対象部７０（図６）の設置面７１（図６）に設置される複数の平面発光素子２０と、平面発光素子２０を設置面７１に固定する固定具５０と、を備える。固定具５０は、一端部が設置対象部７０に対して差し込まれることにより固定される固定軸５１と、固定軸５１の軸方向に対して交差する配置で固定軸５１の他端側の部分に設けられた脱落抑止部５２と、を有する。固定具５０を固定軸５１の軸方向に見たとき、脱落抑止部５２の面積は、固定軸５１の面積よりも大きい。固定軸５１の一端部を設置対象部７０に対して差し込み固定することにより、互いに隣り合う複数の平面発光素子２０の各々について、設置面７１から離間することを脱落抑止部５２によって一括して抑止することが可能である。固定軸５１の一端部を設置対象部７０に対して固定した状態のまま、固定軸５１の軸周りに固定具５０を回転させることによって、脱落抑止部５２により設置面７１からの離間が抑止される平面発光素子２０の数が変化する。
【００１３】
以下においては、説明を簡単にするため、平面発光装置１００の各構成要素の位置関係（上下関係等）が各図に示す関係であるものとして説明を行う場合がある。ただし、この説明における位置関係は、平面発光装置１００の使用時や製造時の位置関係とは無関係である。
【００１４】
図２（ａ）〜（ｃ）に示すように、平面発光素子２０は、平板状の（パネル状の）発光素子である。平面発光素子２０の一方の面は、光を外部に放射する発光面２７となっている。なお、図６に示すように、平面発光素子２０は、その他方の面２８が設置対象部７０の設置面７１と対向するようにして、設置対象部７０に設けられる。
【００１５】
平面発光素子２０は、平板状の発光素子であれば、どのような発光方式のものであっても良い。平面発光素子２０は、例えば、有機ＥＬ素子、又は、有機ＥＬ素子以外の面状の発光素子（例えば、液晶ディスプレイ、無機ＥＬ素子等）とすることができる。或いは、平面発光素子２０は、例えば、ＬＥＤ（Ｌｉｇｈｔ  Ｅｍｉｔｔｉｎｇ  Ｄｉｏｄｅ）と導光板とを組み合わせることにより平板状の構造とされたものであっても良いし、複数のＬＥＤをアレイ状に配列することにより平板状の構造とされたものであっても良い。
【００１６】
平面発光装置１００を構成する複数の平面発光素子２０は、例えば図１に示すように、互いに同一平面上にタイリングされる。
【００１７】
ここで、平面発光素子２０の正面形状は、互いに実質的に隙間無く（互いに近接して）配置できるような形状であれば、如何なる形状であっても良い。平面発光素子２０の正面形状は、例えば、正多角形状又は長方形状とすることができる。一例として、平面発光素子２０の正面形状は、図１等に示されるような正方形状とすることができる。これら平面発光素子２０は、互いに実質的に隙間無く（互いに近接して）配置される。一例として、図１等に示されるように、複数の平面発光素子２０は、正方格子状に並べて配置される。ただし、複数の平面発光素子２０は互いに実質的に隙間無く（互いに近接して）配置されていれば良く、正方格子状の配置以外の配置で並べられても良い。
【００１８】
図３（ａ）〜（ｃ）に示すように、固定具５０は、固定軸５１と脱落抑止部５２とを有する。
【００１９】
固定軸５１は、一方向に長尺な棒状の部分である。固定軸５１の長手方向を固定軸５１の軸方向と称する。固定軸５１は、その軸方向における一端部が設置対象部７０（図６）に対して差し込まれることにより固定される部分である。より具体的には、例えば、固定軸５１は、その一端側に形成された雄ネジ部５１ａを有しており、該雄ネジ部５１ａが設置対象部７０に対して螺入されることによって、該設置対象部７０に対して固定されるようになっている。設置対象部７０に雄ネジ部５１ａを螺入する作業は、例えば、作業者が指で脱落抑止部５２を回転させること、又は、脱落抑止部５２が嵌入される専用の工具（図示略）を用いて脱落抑止部５２を回転させることなどにより容易に行うことができる。固定軸５１の他端側の部分は、例えば丸棒状の非ネジ部５１ｂとなっている。非ネジ部５１ｂの長さは、例えば、平面発光素子２０の厚さと同等の長さに設定されている。雄ネジ部５１ａと非ネジ部５１ｂとは互いに同軸上に位置している。なお、本実施形態の場合、固定軸５１の他端側の端面５１ｃ（図３（ａ）、（ｃ））は、例えば、脱落抑止部５２における固定軸５１側の面と面一となっている。
【００２０】
脱落抑止部５２は、例えば平板状に形成されている。脱落抑止部５２は、固定軸５１の軸方向に対して交差するように配置され、且つ、固定軸５１の他端側の部分に設けられている。より具体的には、脱落抑止部５２は、例えば、その板面が固定軸５１の軸方向に対して直交するように配置され、且つ、固定軸５１の他端部に固定されている。なお、図３（ｃ）に示すように、固定具５０を正面視したときの脱落抑止部５２の面積は、固定具５０を正面視したときの固定軸５１の面積よりも大きい。
【００２１】
このように、固定具５０は、例えば、ビスのような構造となっている。また、詳細は後述するように、ビスの頭部にあたる脱落抑止部５２には、平面発光素子２０の角部２１の角度に応じた切欠形状部５２ａが形成されており、固定具５０により固定される複数の平面発光素子２０のうち、所望の平面発光素子２０のみを選択的に取り外せるようになっている。
【００２２】
本実施形態の場合、図６に示すように固定軸５１の一端部を設置対象部７０に対して差し込み固定（具体的には螺入により固定）することにより、互いに隣り合う複数の平面発光素子２０の各々について、設置面７１から離間してしまうことを脱落抑止部５２によって一括して抑止することが可能となっている。なお、設置対象部７０には、例えば、内部に雌ネジ部６１が形成された埋込ナット６０が埋め込まれており、埋込ナット６０の雌ネジ部６１に雄ネジ部５１ａを螺入することにより、固定具５０を設置対象部７０に固定できるようになっている。
【００２３】
ここで、図２（ａ）〜（ｃ）に示すように、平面発光素子２０の角部２１の各々には、円筒をその軸中心に沿って切断することにより４分割したような形状の挿通用切欠形状部２２が、平面発光素子２０の厚み方向に両端間に亘って（つまり平面発光素子２０の両面間に亘って）形成されている。このため、図１に示すように複数の平面発光素子２０を正方格子状に並べて配置した状態では、互いに隣り合う４つの平面発光素子２０の対応する角部２１により囲まれた領域、すなわち４つの挿通用切欠形状部２２により囲まれた領域は、円筒状の挿通孔３０となる。挿通孔３０の内径が、固定軸５１の外径よりも若干大きい程度となるように、挿通用切欠形状部２２の寸法が設定されている。これにより、挿通孔３０を通して固定軸５１を設置対象部７０に対して差し込み固定することが可能となっている。また、脱落抑止部５２の面積は、挿通孔３０の横断面積よりも大きい。これにより、平面発光素子２０が設置面７１から離間してしまうことを脱落抑止部５２によって抑止することが可能となっている。
【００２４】
固定具５０を用いて複数の平面発光素子２０を設置対象部７０に固定するには、先ず、図１に示すように、複数の平面発光素子２０を互いに実質的に隙間無く正方格子状に並べて配置する。そして、図４に示すように、各挿通孔３０を通して、固定具５０を設置対象部７０に固定する。これにより、図５および図６に示すように、複数の平面発光素子２０を固定具５０により固定することができる。各平面発光素子２０は、その４つの角部２１の各々が１つずつの固定具５０により設置対象部７０に固定されることによって、設置対象部７０に固定される。また、互いに隣接する４つの平面発光素子２０の角部２１のうち、正面視において１つの十字交差を形成する４つの角部２１は、共通の固定具５０によって固定される。
【００２５】
このように、本実施形態の場合、平面発光素子２０は正多角形状又は長方形状に形成され、互いに隣り合う複数の平面発光素子２０は、互いの一辺どうしが平行に近接するとともに互いの角部２１どうしが近接するように配置される。そして、脱落抑止部５２は、固定軸５１の一端部が互いに隣り合う複数の平面発光素子２０の各々の角部２１の間の挿通孔３０を通して設置対象部７０に差し込み固定されることにより、互いに隣り合う複数の平面発光素子２０の各々の角部２１が設置対象部７０から離間してしまうことを一括して抑止するものである。より具体的には、脱落抑止部５２は、例えば、平面発光素子２０の角部２１を設置対象部７０側に押さえ付けることによって、平面発光素子２０を設置対象部７０に固定する。
【００２６】
ここで、図７に示すように、平面発光素子２０を正面視したときの角部２１の角度をα（単位：°）とする。なお、角部２１には挿通用切欠形状部２２が形成されているため、角部２１の角度は、図７に示すように、角部２１を形成する一対の辺２５、２６の各々の延長線どうしのなす角度であるものとする。本実施形態の場合、平面発光素子２０は正面視正方形状であるため、αは９０°である。
【００２７】
一方、図３（ａ）、（ｃ）等に示されるように、脱落抑止部５２は、例えば、円板を該円板と中心が一致する扇形に切り欠いたような形状に形成されている。すなわち、脱落抑止部５２には、例えば扇形の切欠形状部５２ａが形成されている。したがって、脱落抑止部５２自体も、例えば扇形の板状をなしている。なお、固定具５０を正面視したとき、脱落抑止部５２を形成する扇形の中心と、固定軸５１の軸中心とは、一致している。固定具５０を正面視したときの固定軸５１の軸中心を基準とする切欠形状部５２ａの中心角度β（図３（ｃ））は、角部２１の角度α以上（例えば９０°以上）に設定されている。
これにより、固定軸５１の一端部を設置対象部７０に対して固定した状態のまま、固定軸５１の軸周りに固定具５０を回転させることによって、互いに隣り合う複数の平面発光素子２０の各々の角部２１のうち何れか１つ以上の角部２１を、平面発光装置１００を正面視したときに脱落抑止部５２と重ならず切欠形状部５２ａを通して直接正視できる状態にすることが可能となっている。
したがって、平面発光素子２０を固定する４つの固定具５０の各々の回転角度（各固定具５０の固定軸５１の軸周りにおける回転角度）を調節することにより、平面発光素子２０を設置対象部７０に固定する状態と、平面発光素子２０を設置対象部７０から取り外すことができる状態と、を切り替えることが可能である。
なお、本実施形態の場合、雄ネジ部５１ａを埋込ナット６０に螺入することにより固定具５０が設置対象部７０に固定される。このため、固定軸５１の軸周りにおける固定具５０の回転角度を調節する動作は、埋込ナット６０に対する雄ネジ部５１ａの螺入量の変化を伴う。
【００２８】
例えば、図８は、ある平面発光素子２０（以下、単に平面発光素子２０ａ）を固定する４つの固定具５０について、該平面発光素子２０ａを正面視したときに各々の脱落抑止部５２が該平面発光素子２０ａの角部２１と重なるように、回転角度を調整した状態、すなわち、切欠形状部５２ａを通して角部２１を正視できない状態を示す。つまり、図８は平面発光素子２０ａを設置対象部７０に固定した状態を示す。この状態では、平面発光素子２０ａの４つの角部２１の各々について、設置面７１から離間することが脱落抑止部５２によって抑止されている。
【００２９】
一方、図９は、平面発光素子２０ａを固定する４つの固定具５０について、該平面発光素子２０ａを正面視したときに各々の脱落抑止部５２が該平面発光素子２０ａの角部２１と重ならず、切欠形状部５２ａを通して角部２１を直接正視できるように、回転角度を調整した状態を示す。つまり、正面視において、切欠形状部５２ａ内に角部２１が位置するように、固定具５０の回転角度を調節した状態を示す。この状態では、平面発光素子２０ａの４つの角部２１の各々について、設置面７１から離間することが脱落抑止部５２によって抑止されていないため、平面発光素子２０ａをその面直方向に移動させることによって、平面発光素子２０ａを設置対象部７０に対して脱着することができる。
【００３０】
ここで、一例として、１つの十字交差において互いに対向する４つの角部２１のすべてについて、１つの固定具５０の脱落抑止部５２によって、設置面７１から離間することを一括して抑止できるようにするため、上記の中心角度β（図３（ｃ））は、２α未満（例えば１８０°未満）に設定されている。その結果、平面発光装置１００を正面視したときに脱落抑止部５２と重ならず切欠形状部５２ａを通して直接正視できる状態となり得る角部２１の数は１となっている。
【００３１】
したがって、本実施形態の場合、固定軸５１の一端部を設置対象部７０に対して固定した状態のまま、固定軸５１の軸周りに固定具５０を回転させることによって、脱落抑止部５２により設置面７１からの離間が抑止される平面発光素子２０の数が４又は３の何れかに変化する。図８の状態では、各固定具５０の脱落抑止部５２により設置面７１からの離間が抑止される平面発光素子２０の数が４、図９の状態では、各固定具５０の脱落抑止部５２により設置面７１からの離間が抑止される平面発光素子２０の数が３である。
【００３２】
図１０は比較形態に係る平面発光装置を固定する動作を説明するための斜視図である。この平面発光装置は、複数の平面発光素子２２０と、複数の平面発光素子２２０を一括して設置対象部に対して押さえ付けて固定する固定枠２５０と、を備えている。平面発光素子２２０は、挿通用切欠形状部２２が形成されていない点で平面発光素子２０と相違し、その他の点では、平面発光素子２０と同様に構成されている。固定枠２５０には、各平面発光素子２２０と対応する開口部２５１が形成されている。固定枠２５０を図１０の矢印の方向に移動させて、固定枠２５０を設置対象部に固定することにより、固定枠２５０によって複数の平面発光素子２２０の各々の周縁部を一括して設置対象部側に押さえ付けて、平面発光素子２２０を一括して設置対象部に固定することができる。
【００３３】
比較形態に係る平面発光素子の場合、平面発光素子２２０を交換する場合には、固定枠２５０を取り外す必要がある。このため、何れか１つだけの平面発光素子２２０を取り外したい場合にも、固定枠２５０により固定されているすべての平面発光素子２２０が設置対象部から脱落する懸念がある。
【００３４】
これに対し、本実施形態によれば、例えば、図９に示すように、正面視において平面発光素子２０の角部２１と固定具５０の切欠形状部５２ａとの位置が合うように、固定具５０の回転角度を調節することにより、平面発光素子２０ａの周囲の平面発光素子２０の固定を外すことなく、１つの平面発光素子２０ａのみを簡単に設置対象部７０から取り外して交換することが可能となる。
【００３５】
以上、本実施形態によれば、平面発光装置１００は、互いに隣接した状態で設置対象部７０の設置面７１に設置される複数の平面発光素子２０と、平面発光素子２０を設置面７１に固定する固定具５０と、を備える。固定具５０は、一端部が設置対象部７０に対して差し込まれることにより固定される固定軸５１と、固定軸５１の軸方向に対して交差する配置で固定軸５１の他端側の部分に設けられた脱落抑止部５２と、を有する。固定具５０を固定軸５１の軸方向に見たとき、脱落抑止部５２の面積は、固定軸５１の面積よりも大きい。固定軸５１の一端部を設置対象部７０に対して差し込み固定することにより、互いに隣り合う複数の平面発光素子２０の各々について、設置面７１から離間することを脱落抑止部５２によって一括して抑止することが可能である。そして、固定軸５１の一端部を設置対象部７０に対して固定した状態のまま、固定軸５１の軸周りに固定具５０を回転させることによって、脱落抑止部５２により設置面７１からの離間が抑止される平面発光素子２０の数が変化する。よって、固定具５０の脱落抑止部５２により設置面７１からの離間が抑止される平面発光素子２０の数を最大数よりも減らした状態とすることにより、任意の平面発光素子２０のみを選択的に設置対象部７０から取り外すことができる。
【００３６】
また、平面発光素子２０は正多角形状又は長方形状に形成され、互いに隣り合う複数の平面発光素子２０は、互いの一辺どうしが平行に近接するとともに互いの角部２１どうしが近接するように配置される。脱落抑止部５２は、固定軸５１の一端部が互いに隣り合う複数の平面発光素子２０の各々の角部２１の間を通して設置対象部７０に差し込み固定されることにより、互いに隣り合う複数の平面発光素子２０の各々の角部２１が設置対象部７０から離間してしまうことを一括して抑止するものである。脱落抑止部５２には、切欠形状部５２ａが形成されている。そして、固定軸５１の一端部を設置対象部７０に対して固定した状態のまま、固定軸５１の軸周りに固定具５０を回転させることによって、互いに隣り合う複数の平面発光素子２０の各々の角部２１のうち何れか１つ以上の角部２１を、平面発光装置１００を正面視したときに脱落抑止部５２と重ならず切欠形状部５２ａを通して直接正視できる状態にすることが可能である。よって、そのような状態となるように固定具５０の回転角度を調節した状態では、任意の１つ又は複数（ただし固定具５０により固定可能な平面発光素子２０の全数ではない）の平面発光素子２０を、その角部２１が脱落抑止部５２の切欠形状部５２ａを通過するように移動させることによって選択的に設置対象部７０から取り外すことができる。
【００３７】
また、互いに隣接して配置された複数の平面発光素子２０を固定具５０により固定した状態で、固定具５０を固定軸５１の軸周りに回転させることにより、平面発光装置１００を正面視したときに脱落抑止部５２と重ならず切欠形状部５２ａを通して直接正視できる状態（図９における平面発光素子２０ａの角部２１の状態）となり得る角部２１の数は、１である。よって、固定軸５１の軸周りにおける固定具５０の回転角度を調節することにより、互いに隣り合う複数の平面発光素子２０の角部２１のすべてについて、１つの固定具５０の脱落抑止部５２によって、設置面７１から離間することを一括して抑止することができる（図８の状態）。また、固定具５０の回転角度を調節することにより、固定具５０によって固定されている複数の平面発光素子２０のうち任意の１つの平面発光素子２０の角部２１を、平面発光装置１００を正面視したときに脱落抑止部５２と重ならず切欠形状部５２ａを通して直接正視できる状態（図９の状態）とすることができる。そして、その状態で、当該平面発光素子２０を、その角部２１が脱落抑止部５２の切欠形状部５２ａを通過するように移動させることによって選択的に設置対象部７０から取り外すことができる。
【００３８】
また、平面発光素子２０は正多角形状又は長方形状に形成され、互いに隣り合う複数の平面発光素子２０は、互いの一辺どうしが平行に近接するとともに互いの角部２１どうしが近接するように配置される。脱落抑止部５２は、固定軸５１の一端部が互いに隣り合う複数の平面発光素子２０の各々の角部２１の間を通して設置対象部７０に差し込み固定されることにより、互いに隣り合う複数の平面発光素子２０の各々の角部２１が設置対象部７０から離間してしまうことを一括して抑止するものである。脱落抑止部５２には、切欠形状部５２ａが形成されている。そして、平面発光素子２０を正面視したときの角部２１の角度をαとすると、固定具５０を正面視したときの固定軸５１の軸中心を基準とする切欠形状部５２ａの中心角度βは、α以上である。よって、固定軸５１の一端部を設置対象部７０に対して固定した状態のまま、固定軸５１の軸周りに固定具５０を回転させることによって、互いに隣り合う複数の平面発光素子２０の各々の角部２１のうち何れか１つ以上の角部２１を、平面発光装置１００を正面視したときに脱落抑止部５２と重ならず切欠形状部５２ａを通して直接正視できる状態にすることが可能である。そして、そのような状態となるように固定具５０の回転角度を調節した状態では、任意の１つ又は複数（ただし固定具５０により固定可能な平面発光素子２０の全数ではない）の平面発光素子２０を、その角部２１が脱落抑止部５２の切欠形状部５２ａを通過するように移動させることによって選択的に設置対象部７０から取り外すことができる。
【００３９】
また、中心角度βは２α未満であるので、固定軸５１の軸周りにおける固定具５０の回転角度を調節することにより、互いに隣り合う複数の平面発光素子２０の角部２１のすべてについて、１つの固定具５０の脱落抑止部５２によって、設置面７１から離間することを一括して抑止することができる（図８の状態）。また、固定具５０の回転角度を調節することにより、固定具５０によって固定されている複数の平面発光素子２０のうち任意の１つの平面発光素子２０の角部２１を、平面発光装置１００を正面視したときに脱落抑止部５２と重ならず切欠形状部５２ａを通して直接正視できる状態（図９の状態）とすることができる。そして、その状態で、当該平面発光素子２０を、その角部２１が脱落抑止部５２の切欠形状部５２ａを通過するように移動させることによって選択的に設置対象部７０から取り外すことができる。
【００４０】
また、平面発光素子２０には挿通用切欠形状部２２が形成されているので、隣り合う平面発光素子２０を互いに実質的に隙間無く並べた状態でも、これら平面発光素子２０を固定具５０により固定することができる。
【００４１】
また、固定軸５１の一端部には、雄ネジ（雄ネジ部５１ａ）が形成され、雄ネジが設置対象部７０に対して螺入されることにより、固定軸５１が設置対象部７０に固定される。よって、固定具５０、ひいては平面発光素子２０を容易且つ確実に設置対象部７０に固定することができる。
【００４２】
また、上記の固定具５０によれば、複数の平面発光素子２０を設置対象部７０に固定することができるとともに、これら平面発光素子２０のうちの任意の１つ以上の平面発光素子２０のみを設置対象部７０から取り外すことができる。
【実施例】
【００４３】
（実施例１）
本実施例では、上記の実施形態に係る平面発光装置１００のより具体的な構成の例を説明する。本実施例に係る平面発光装置１００は、以下に説明する点の他は、上記の実施形態と同様に構成されている。
【００４４】
図１１は実施例１に係る平面発光装置１００の平面発光素子２０の層構造の一例を示す断面図であり、平面発光素子２０が有機ＥＬ素子である場合の構成例を示している。
【００４５】
この場合、平面発光素子２０は、例えば、透光性の基材１１０と、透光性の第１電極１３０と、有機機能層１４０と、第２電極１５０と、封止部材１６０と、を有する。第１電極１３０は、基材１１０の一方の面側（図１１において下側）に配置されている。有機機能層１４０は、第１電極１３０を基準として基材１１０とは反対側（図１１において下側）に配置されている。第２電極１５０は、有機機能層１４０を基準として第１電極１３０とは反対側（図１１において下側）に配置されている。なお、基材１１０と第１電極１３０とは相互に接していても良いし、それらの間に他の透光性の層が存在していても良い。第２電極１５０の下面側には封止部材１６０が設けられている。
【００４６】
基材１１０は、ガラスや樹脂などの透光性を有する材料からなる板状部材である。例えば、基材１１０の上面は、発光面２７を構成しており、光放出空間を充たす空気（屈折率１）と接している。ただし、基材１１０の上面には光取り出しフィルムが貼り付けられ、該光取り出しフィルムの上面が発光面２７を構成していても良い。
【００４７】
第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体からなる透明電極とすることができる。ただし、第１電極１３０は、光が透過する程度に薄い金属薄膜であっても良い。有機機能層１４０は、少なくとも発光層を含んで構成されており、単層構造でも積層構造でも良い。第２電極１５０は、例えば、ＡｌやＡｇなどの金属膜からなる反射電極である。第２電極１５０は、有機機能層１４０から第２電極１５０側に向かう光を、基材１１０側に向けて反射する。
【００４８】
第１電極１３０と第２電極１５０との間に電圧が印加されることにより、有機機能層１４０の発光層が発光する。有機機能層１４０、第１電極１３０および基材１１０は、いずれも、有機機能層１４０の発光層が発光した光の少なくとも一部を透過する。発光層が発光した光の一部は、発光面２７から、平面発光装置１００の外部（つまり上記光放出空間）に放射される（取り出される）。
【００４９】
以下、有機機能層１４０の層構造のより具体的な例を説明する。
【００５０】
図１２は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機エレクトロルミネッセンス発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
【００５１】
発光層１４３は、例えば赤色の光を発光する層、青色の光を発光する層、又は緑色の光を発光する層である。この場合、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、発光装置は白色等の単一の発光色で発光する。
【００５２】
なお、発光層１４３は、複数の色を発光するための材料を混ぜることにより、白色等の単一の発光色で発光するように構成されていても良い。
【００５３】
図１３は有機機能層１４０の層構造の第２例を示す断面図である。この有機機能層１４０の発光層１４３は、発光層１４３ａ、１４３ｂ、１４３ｃをこの順に積層した構成を有している。発光層１４３ａ、１４３ｂ、１４３ｃは、互いに異なる色の光（例えば赤、緑、及び青）を発光する。そして発光層１４３ａ、１４３ｂ、１４３ｃが同時に発光することにより、発光装置は白色等の単一の発光色で発光する。
【００５４】
なお、平面発光装置１００は、平面発光素子２０を発光させる制御を行う電子回路を含んで構成されていても良いし、電子回路は、平面発光装置１００とは別体となっていても良い。
【００５５】
本実施例によっても、上記の実施形態と同様の効果が得られる。
【００５６】
（実施例２）
図１４（ａ）は実施例２に係る平面発光装置１００の平面発光素子２０が固定された状態を示す正面図、図１４（ｂ）は実施例２に係る平面発光装置１００の平面発光素子２０の角部２１およびその近傍を示す正面図である。図１５（ａ）〜（ｃ）は実施例２に係る平面発光装置１００の固定具５０を示す図であり、このうち（ａ）は斜視図、（ｂ）は側面図、（ｃ）は正面図である。
【００５７】
上記の実施形態では、平面発光素子２０の正面形状が正方形状である例を説明したが、本実施例では、平面発光素子２０の正面形状が正六角形状である例を説明する。この場合も、図１４（ａ）に示すように、複数の平面発光素子２０を実質的に互いに隙間無く並べることができる。
【００５８】
本実施例の場合、平面発光素子２０の角部２１の角度α（図１４（ｂ））は１２０°である。このため、図１５（ｃ）に示すように、脱落抑止部５２を正面視したときの切欠形状部５２ａの中心角度βは、１２０°以上、２４０°未満に設定されている。
【００５９】
本実施例の場合、固定軸５１の一端部を設置対象部７０に対して固定した状態のまま、固定軸５１の軸周りに固定具５０を回転させることによって、脱落抑止部５２により設置面７１からの離間が抑止される平面発光素子２０の数が３又は２の何れかに変化する。図１４（ａ）では、中央の平面発光素子２０ａを取り外し可能なように、該平面発光素子２０ａを固定する６つの固定具５０の回転角度を調節した状態を示している。つまり、図１４（ａ）の状態では、平面発光素子２０ａの固定に用いられる６つの固定具５０の脱落抑止部５２により設置面７１からの離間が抑止される平面発光素子２０の数は、それぞれ２である。
【００６０】
本実施例の場合も、上記の実施形態と同様の効果が得られる。
【００６１】
（実施例３）
図１６は実施例３に係る平面発光装置１００の平面発光素子２０が固定された状態を示す正面図である。なお、図１６は、中央の平面発光素子２０ａを取り外し可能なように、該平面発光素子２０ａを固定する４つの固定具５０の回転角度を調節した状態を示している。
【００６２】
本実施例の場合、固定具５０は、少なくとも脱落抑止部５２が透光性であるように構成されている。例えば、透明な樹脂により脱落抑止部５２を形成することができる。このようにすることにより、平面発光素子２０からの発光が脱落抑止部５２によって妨げられてしまうことを抑制することができる。よって、脱落抑止部５２の寸法を大きくして脱落抑止部５２による平面発光素子２０の固定性能を向上させることができる。
【００６３】
ここで、平面発光素子２０の発光面２７の周縁に位置する枠状の部分は、発光しない目地部２４となり、目地部２４よりも内側の部位のみが、発光する発光部２３となる場合がある。なお、図１６においては、目地部２４を分かりやすくするために、目地部２４と対応する領域にハッチングを付している。
このように発光面２７に発光部２３と目地部２４とが形成される場合に、図１６に示すように、脱落抑止部５２が発光部２３にも重なるように脱落抑止部５２を大きくしたとしても、発光部２３からの発光を、脱落抑止部５２を通して前方に放射することができる。
【００６４】
本実施例の場合、上記の実施形態と同様の効果が得られる他、脱落抑止部５２が透光性であるので、平面発光素子２０からの発光が脱落抑止部５２によって妨げられてしまうことを抑制することができる。
【００６５】
（実施例４）
図１７（ａ）および（ｂ）は実施例４に係る平面発光装置１００の固定具５０を示す図であり、このうち（ａ）は斜視図、（ｂ）は正面図である。
【００６６】
上記の実施形態では、固定軸５１の他端側の端面５１ｃ（図３（ａ）、（ｃ））が、脱落抑止部５２における固定軸５１側の面と面一となっている例を説明した。これに対し、本実施例の場合、固定軸５１の他端側の端面５１ｃは、脱落抑止部５２における固定軸５１側とは反対側の面と面一となっている。固定具５０をこのような構造とすることにより、５１と脱落抑止部５２との連結強度をより向上することができる。
【００６７】
（実施例５）
図１８（ａ）は実施例５に係る平面発光装置１００の平面発光素子２０の正面図、図１８（ｂ）は実施例５に係る平面発光装置１００の正面図である。図１９（ａ）および（ｂ）は実施例５に係る平面発光装置１００の固定具５０を示す図であり、このうち（ａ）は斜視図、（ｂ）は正面図である。
【００６８】
上記の実施形態では、平面発光素子２０の角部２１を固定具５０により固定する例を説明したが、固定具５０により固定する部分は、平面発光素子２０の角部２１以外でも良い。例えば、図１８（ｂ）に示すように、平面発光素子２０の各辺の中間部（角部２１どうしの中間位置）を固定具５０により固定しても良い。
【００６９】
このため、本実施例の場合、図１８（ａ）に示すように、挿通用切欠形状部２２は、平面発光素子２０の各辺の中間部に形成されている。
【００７０】
本実施例の場合、脱落抑止部５２を正面視したときの切欠形状部５２ａの中心角度β（図１９（ｂ））は、１８０°以上である。例えば、図１９（ａ）および（ｂ）に示すように、脱落抑止部５２は正面視半円状に形成されているとともに、切欠形状部５２ａも正面視半円状に形成されている。
【００７１】
本実施例の場合、固定軸５１の一端部を設置対象部７０に対して固定した状態のまま、固定軸５１の軸周りに固定具５０を回転させることによって、脱落抑止部５２により設置面７１からの離間が抑止される平面発光素子２０の数が２又は１の何れかに変化する。図１８（ｂ）では、中央の平面発光素子２０ａを取り外し可能なように、該平面発光素子２０ａを固定する４つの固定具５０の回転角度を調節した状態を示している。つまり、図１８（ｂ）の状態では、平面発光素子２０ａの固定に用いられる４つの固定具５０の脱落抑止部５２により設置面７１からの離間が抑止される平面発光素子２０の数は、それぞれ１である。
【００７２】
本実施例によっても、上記の実施形態と同様の効果が得られる。
【００７３】
なお、平面発光素子２０が特に大型の場合は、本実施例で説明したような平面発光素子２０の各辺の中間部の固定と、上記の実施形態で説明したような角部２１の固定とを併用することが有効である。
【００７４】
以上、図面を参照して実施形態及び実施例について述べたが、これらは本発明の例示であり、上記以外の様々な構成を採用することもできる。
【００７５】
例えば、上記においては、固定軸５１が螺入により設置対象部７０に対して固定される例を説明したが、固定軸５１は螺入以外により設置対象部７０に固定されても良い。
【００７６】
また、上記においては、脱落抑止部５２が固定軸５１に固定されている例を説明したが、脱落抑止部５２は固定軸５１に対して回転自在となるように、固定軸５１における他端側の部分に設けられていても良い。この場合、脱落抑止部５２を固定軸５１に対して回転させることにより、平面発光素子２０を取り外すことができる。
【００７７】
また、上記においては、平面発光素子２０に挿通用切欠形状部２２が形成されている例を説明したが、平面発光素子２０には挿通用切欠形状部２２が形成されていなくても良い。この場合、隣り合う平面発光素子２０を、固定軸５１の径と同等の間隔を開けてタイリングすることにより、固定具５０を用いて複数の平面発光素子２０を固定することができる。
【符号の説明】
【００７８】
２０ 平面発光素子
２１ 角部
５０ 固定具
５１ 固定軸
５１ａ 雄ネジ部
５２ 脱落抑止部
５２ａ 切欠形状部
７０ 設置対象部
７１ 設置面
１００ 平面発光装置
【図１】
2015015427.tif 000003
【図２】
2015015427.tif 000004
【図３】
2015015427.tif 000005
【図４】
2015015427.tif 000006
【図５】
2015015427.tif 000007
【図６】
2015015427.tif 000008
【図７】
2015015427.tif 000009
【図８】
2015015427.tif 000010
【図９】
2015015427.tif 000011
【図１０】
2015015427.tif 000012
【図１１】
2015015427.tif 000013
【図１２】
2015015427.tif 000014
【図１３】
2015015427.tif 000015
【図１４】
2015015427.tif 000016
【図１５】
2015015427.tif 000017
【図１６】
2015015427.tif 000018
【図１７】
2015015427.tif 000019
【図１８】
2015015427.tif 000020
【図１９】
2015015427.tif 000021